(57)【特許請求の範囲】
【請求項１】
早期警戒データ処理装置が、基地局中の早期警戒情報収集装置が収集して報知した早期警戒情報データを受信することと、
前記早期警戒データ処理装置が、前記早期警戒情報データを分析し、分析結果に基づいて、前記基地局の早期警戒操作状態を確定することと、
前記基地局の早期警戒操作状態が異常状態と確定された時、前記早期警戒データ処理装置が対応する故障処理を行うことと、を含み、
前記早期警戒情報データは地震津波早期警戒システムＥＴＷＳデータを含み、前記ＥＴＷＳデータはＥＴＷＳ通知の受信時間、送信時間、停止時間のデータを含み、
前記早期警戒情報データを分析することは、前記ＥＴＷＳデータの完全性を判断することを含み、
前記ＥＴＷＳデータにＥＴＷＳ通知の受信情報、送信情報、終了情報が含まれている場合、前記ＥＴＷＳデータが完全なＥＴＷＳデータであると記録し、前記ＥＴＷＳデータにＥＴＷＳ通知の受信情報、送信情報、終了情報の中のいずれかが含まれていない時、前記ＥＴＷＳデータが不完全なＥＴＷＳデータであると記録する早期警戒情報データの処理方法。
【請求項２】
前記基地局の早期警戒操作状態を確定することは、
完全なＥＴＷＳデータの場合、前記ＥＴＷＳ通知の受信時間、送信時間と終了時間から前記ＥＴＷＳ通知の送信遅延と終了遅延を計算し、送信遅延と終了遅延中の一つが対応する閾値を越えると、前記基地局の早期警戒操作状態が異常状態であると確定することを含み、
不完全なＥＴＷＳデータの場合、前記基地局の早期警戒操作状態が異常状態であると確定し、具体的に、
前記ＥＴＷＳデータがＥＴＷＳ通知の受信時間を含むが、ＥＴＷＳ通知の送信時間と終了時間を含んでいないと、
又は、前記ＥＴＷＳデータがＥＴＷＳ通知の受信情報と送信情報を含むが、ＥＴＷＳ通知の終了情報を含んでいないと、前記基地局の早期警戒操作状態が異常状態であると確定する請求項１に記載の方法。
【請求項３】
前記基地局の早期警戒操作状態が異常状態であると、前記早期警戒データ処理装置が対応する故障処理を行うことが、
前記異常状態に基づいて、故障レベルを確定することと、前記故障レベルが厳重レベルに達していると、故障を解決するように、対応する解決命令メッセージを前記基地局の早期警戒情報実行モジュールへ送信することと、を含み、
前記ＥＴＷＳデータがＥＴＷＳ通知の受信時間を含むが、ＥＴＷＳ通知の送信時間と終了時間を含んでいない、又は前記ＥＴＷＳデータがＥＴＷＳ通知の受信情報と送信情報を含むが、ＥＴＷＳ通知の終了情報を含んでいないと、前記故障レベルを厳重レベルと確定する請求項２に記載の方法。
【請求項４】
前記早期警戒データ処理装置が早期警戒情報調査要求を受信した後、調査が要求された一つ又は複数の基地局のセルの早期警戒情報を分析し、分析結果を図形によって表示することを更に含む請求項１乃至３の中のいずれか一項に記載の方法。
【請求項５】
前記早期警戒データ処理装置が早期警戒情報統計要求を受信した後、特定の一つ又は複数のセル又は特定の一つ又は複数の基地局について、特定の時間区間内に発生した早期警戒分布状況を統計して分析することを更に含む請求項１乃至３の中のいずれか一項に記載の方法。
【請求項６】
基地局における早期警戒情報収集装置が収集して報知した早期警戒情報データを受信して、前記早期警戒情報データを分析し、分析結果に基づいて前記基地局の早期警戒操作状態を確定するように構成されるデータ分析モジュールと、
前記基地局の早期警戒操作状態が異常状態と確定された時、対応する故障処理を行うように構成される故障処理モジュールと、を含み、
前記早期警戒情報データは地震津波早期警戒システムＥＴＷＳデータを含み、前記ＥＴＷＳデータはＥＴＷＳ通知の受信時間、送信時間と停止時間のデータを含み、
前記データ分析モジュールは、前記早期警戒情報データを分析し、具体的には、前記ＥＴＷＳデータの完全性を判断することと、前記ＥＴＷＳデータがＥＴＷＳ通知の受信情報、送信情報と終了情報を含むと、前記ＥＴＷＳデータが完全なＥＴＷＳデータであると記録し、前記ＥＴＷＳデータがＥＴＷＳ通知の受信情報、送信情報と終了情報の中のいずれかを含んでいないと、前記ＥＴＷＳデータが不完全なＥＴＷＳデータであると記録することを含む早期警戒情報データ処理装置。
【請求項７】
前記データ分析モジュールは前記基地局の早期警戒操作状態を確定し、具体的には、完全なＥＴＷＳデータの場合、前記ＥＴＷＳ通知の受信時間、送信時間と終了時間から前記ＥＴＷＳ通知の送信遅延と終了遅延を計算し、送信遅延と終了遅延中の一つが対応する閾値を越えると、前記基地局の早期警戒操作状態が異常状態であると確定し、不完全なＥＴＷＳデータの場合、前記基地局の早期警戒操作状態が異常状態であると確定し、具体的には、前記ＥＴＷＳデータがＥＴＷＳ通知の受信時間を含むが、ＥＴＷＳ通知の送信時間と終了時間を含んでいない、又は前記ＥＴＷＳデータがＥＴＷＳ通知の受信情報と送信情報を含むが、ＥＴＷＳ通知の終了情報を含んでいない場合を含む請求項６に記載の装置。
【請求項８】
前記故障処理モジュールは前記異常状態に基づいて故障レベルを確定し、前記故障レベルが厳重レベルに達していると、故障を解決するように、対応する解決命令メッセージを前記基地局の早期警戒情報実行モジュールに送信し、ここで、前記ＥＴＷＳデータがＥＴＷＳ通知の受信時間を含むが、ＥＴＷＳ通知の送信時間と終了時間を含んでいない、又は前記ＥＴＷＳデータがＥＴＷＳ通知の受信情報と送信情報を含むが、ＥＴＷＳ通知の終了情報を含んでいないと、前記故障レベルが厳重レベルであると確定する請求項７に記載の装置。
【請求項９】
前記早期警戒情報データ処理装置は前記基地局に接続されたネットワーク管理システムに集積されており、
前記データ分析モジュールは、前記ネットワーク管理システムと前記基地局とのインターフェースを介して、前記早期警戒情報収集装置が収集して報知した早期警戒情報データを受信する請求項６乃至８の中のいずれか一項に記載の装置。
【請求項１０】
早期警戒情報調査要求を受信した後、調査が要求された一つ又は複数の基地局のセルの早期警戒情報を分析し、分析結果を図形で表示するように構成される調査モジュールを更に含む請求項６乃至８の中のいずれか一項に記載の装置。
【請求項１１】
統計要求を受信した後、特定の一つ又は複数のセル又は特定の一つ又は複数の基地局について特定の時間区間内で発生した早期警戒分布状況を統計して分析するように構成される統計モジュールを更に含む請求項６乃至８の中のいずれか一項に記載の装置。
【請求項１２】
請求項６乃至１１の中のいずれか一項に記載の早期警戒データ処理装置を含み、基地局、移動性管理エンティティ又はウェブマスターであるネットワーク要素。
【請求項１３】
基地局中の早期警戒情報収集装置が早期警戒情報実行モジュールから早期警戒情報データを収集し、前記早期警戒情報データを早期警戒データ処理装置へ報知することと、
前記早期警戒情報実行モジュールが前記早期警戒データ処理装置の解決命令メッセージを受信した後、前記解決命令メッセージに対応する操作を実行することと、を含み、
前記早期警戒情報データは地震津波早期警戒システムＥＴＷＳデータを含み、前記ＥＴＷＳデータはＥＴＷＳ通知の受信時間、送信時間と停止時間のデータを含み、前記ＥＴＷＳ通知はＥＴＷＳ重要通知及び/又はＥＴＷＳ補助通知を含む早期警戒情報データの処理方法。
【請求項１４】
前記基地局中の早期警戒情報報知モジュールが前記早期警戒情報データを早期警戒データ処理装置へ送信する前、
前記早期警戒データ処理装置とやり取りして、安全ファイル転送プロトコルＳＦＴＰを取得し、その後、前記安全ファイル転送プロトコルによって、前記早期警戒情報データを早期警戒データ処理装置へ送信することを更に含むことができる請求項１３に記載の方法。
【請求項１５】
早期警戒情報実行モジュールから早期警戒情報データを収集し、前記早期警戒情報データを早期警戒データ処理装置へ報知するように構成される早期警戒情報収集装置と、
前記早期警戒データ処理装置の解決命令メッセージを受信し、前記解決命令メッセージに対応する操作を実行するように構成される早期警戒情報実行モジュールと、を含み、
前記早期警戒情報データは地震津波早期警戒システムＥＴＷＳデータを含み、前記ＥＴＷＳデータはＥＴＷＳ通知の受信時間、送信時間と停止時間のデータを含む基地局。
【請求項１６】
前記早期警戒情報収集装置は更に、前記早期警戒情報データを早期警戒データ処理装置へ報知する前、前記早期警戒データ処理装置とやり取りして、安全ファイル転送プロトコルＳＦＴＰを取得し、その後、前記安全ファイル転送プロトコルによって、前記早期警戒情報データを早期警戒データ処理装置へ送信するように構成される請求項１５に記載の基地局。
【請求項１７】
早期警戒情報データの処理機器に請求項１乃至５の中のいずれか一項に記載の方法を実施させることのできるプログラム命令を含むコンピュータプログラム。
【請求項１８】
基地局機器に請求項１３乃至１４の中のいずれか一項に記載の方法を実施させることのできるプログラム命令を含むコンピュータプログラム。
【発明の詳細な説明】
【技術分野】
【０００１】
本発明は、移動通信技術分野に関し、特に、ＬＴＥ（Ｌｏｎｇ  Ｔｅｒｍ  Ｅｖｏｌｕｔｉｏｎ、長期進化）システムにおける早期警戒情報データの処理方法及び装置に関する。
【背景技術】
【０００２】
科学技術の発展に伴って、移動端末が各分野で重要な作用を果たしていて、人々の生活にてますます重要な作用を果たしている。移動端末は、基本的な通信、娯楽等の機能以外に、例えばＥＴＷＳ（Ｅａｒｔｈｑｕａｋｅ  ａｎｄ  Ｔｓｕｎａｍｉ  Ｗａｒｎｉｎｇ  Ｓｙｓｔｅｍ、地震津波早期警戒システム）通知情報等の公共災害早期警戒情報の受信にも用いられる。
【０００３】
ＥＴＷＳが発生した後、基地局（Ｂａｓｅ  Ｓｔａｔｉｏｎ）はＭＭＥ（Ｍｏｂｉｌｉｔｙ  Ｍａｎａｇｅｍｅｎｔ  Ｅｎｔｉｔｙ、移動性管理エンティティ）から送信されたＥＴＷＳ通知を受信し、ＥＴＷＳ通知はＥＴＷＳ重要通知であるＳＩＢ（システム情報ブロック）１０及び/又はＥＴＷＳ補助通知であるＳＩＢ１１とを含む。前記ＥＴＷＳ重要通知は災害事件がまもなく発生する又は既に発生した際、移動端末（ＵＥ）に災害類型情報、影響を受ける領域情報、発生時間情報を知らせて、４ｓ内に当該メッセージをＵＥへ伝送することを要求する。一方、ＥＴＷＳ補助通知は、災害に関連する補助情報を含み、移動端末にどこで救助を得るか等の情報を知らして、１０ｓ〜３０ｓ内にメッセージをＵＥへ伝送することを要求する。
【０００４】
基地局は、放送メッセージを介して、ＥＴＷＳ通知を自体に関連するセル（Ｃｅｌｌ）内に位置するＵＥへ送信することで、ユーザの自己救済チャンスを増やし、災害による危害を減少する。
【０００５】
同様に、基地局によるＥＴＷＳ通知の放送を停止する必要がある時、ＭＭＥは基地局へ停止要求を発する。基地局はＥＴＷＳ通知の放送を即時に停止しなければならない。ＥＴＷＳ通知の放送を停止しないと、パニックを起こしたり通信事業者に対する不満を起こすことになる。従って、このような故障を速やかに探して解決することはユーザや通信事業者に対して極めて重要である。そして、通信事業者はＥＴＷＳの送信に成功したか否か、時間通りに送信したか否か、故障の主な原因等の情報を直接に見ることのできる便利なルートを望んでいる。
【０００６】
現在、ＥＴＷＳが発生した時、直接に基地局とのやり取りを行うことのできるブロックは、図１に示すように、ＭＭＥと、ウェブマスターと、ＵＥとがある。すると、基地局に対するＥＴＷＳの送信又は停止を制御するブロックも、基地局自体と、ＭＭＥ又はウェブマスターを含む。
【０００７】
既存技術において、通常、基地局がＭＭＥから送信された終了要求を受信した後、ＭＭＥの要求に応じて関連操作を完成し、その後、基地局の他のセルが特定のＥＴＷＳ通知を放送しているか否かを検出してＭＭＥへ報知し、ＭＭＥが後続の処理を行う。ＭＭＥは対応する処理ブロックを追加して後続の処理を行わなければならない。そして、基地局がＥＴＷＳメッセージを受信した後、タイマーを設定し、タイマーが規定時間になるとＥＴＷＳ通知の放送を停止する形態であることもできる。
【発明の概要】
【発明が解決しようとする課題】
【０００８】
既存技術には少なくとも、災害によってＭＭＥ故障が発生した時、当該ＭＭＥに接続された全ての基地局がＭＭＥからのＥＴＷＳ通信停止メッセージを受信することができない又は基地局がＭＭＥからのＥＴＷＳ通知停止メッセージを受信したが、基地局がＥＴＷＳ通知の放送を停止しない問題と、タイマーが故障すると、ＥＴＷＳ通知の放送を停止しない問題とがある。
【０００９】
本発明の実施例は、早期警戒情報の発布を即時且つ正確に制御することのできる早期警戒情報データの処理方法及び装置を提供する。
【課題を解決するための手段】
【００１０】
上記技術課題に解決するため、本発明の実施例は、
早期警戒データ処理装置が、基地局中の早期警戒情報収集装置が収集して報知した早期警戒情報データを受信することと、
前記早期警戒データ処理装置が、前記早期警戒情報データを分析し、分析結果に基づいて、前記基地局の早期警戒操作状態を確定することと、
前記基地局の早期警戒操作状態が異常と確定された時、前記早期警戒データ処理装置が対応する故障処理を行うことと、を含む早期警戒情報データの処理方法を提供する。
【００１１】
任意的に、前記早期警戒情報データは地震津波早期警戒システムＥＴＷＳデータを含むことができ、前記ＥＴＷＳデータはＥＴＷＳ通知の受信時間、送信時間、停止時間のデータを含むことができ、
前記早期警戒情報データを分析することは、前記ＥＴＷＳデータの完全性を判断することを含み、
前記ＥＴＷＳデータにＥＴＷＳ通知の受信情報、送信情報、終了情報が含まれている場合、前記ＥＴＷＳデータが完全なＥＴＷＳデータであると記録し、前記ＥＴＷＳデータにＥＴＷＳ通知の受信情報、送信情報、終了情報の中のいずれかが含まれていない時、前記ＥＴＷＳデータが不完全なＥＴＷＳデータであると記録する。
【００１２】
任意的に、前記基地局の早期警戒操作状態を確定することは、
完全なＥＴＷＳデータの場合、前記ＥＴＷＳ通知の受信時間、送信時間と終了時間から前記ＥＴＷＳ通知の送信遅延と終了遅延を計算し、送信遅延と終了遅延中の一つが対応する閾値を越えると、前記基地局の早期警戒操作状態が異常であると確定することを含み、
不完全なＥＴＷＳデータの場合、前記基地局の早期警戒操作状態が異常であると確定し、具体的に、
前記ＥＴＷＳデータがＥＴＷＳ通知の受信時間を含むが、ＥＴＷＳ通知の送信時間と終了時間を含んでいないと、
又は前記ＥＴＷＳデータがＥＴＷＳ通知の受信情報と送信情報を含むが、ＥＴＷＳ通知の終了情報を含んでいないと、前記基地局の早期警戒操作状態が異常であると確定する。
【００１３】
任意的に、前記基地局の早期警戒操作状態が異常であると、前記早期警戒データ処理装置が対応する故障処理を行うことは、
前記異常状態に基づいて、故障レベルを確定することと、前記故障レベルが厳重レベルに達していると、故障を解決するように、対応する解決命令メッセージを前記基地局の早期警戒情報実行モジュールへ送信することと、を含み、
前記ＥＴＷＳデータがＥＴＷＳ通知の受信時間を含むが、ＥＴＷＳ通知の送信時間と終了時間を含んでいない、又は前記ＥＴＷＳデータがＥＴＷＳ通知の受信情報と送信情報を含むが、ＥＴＷＳ通知の終了情報を含んでいないと、前記故障レベルを厳重レベルと確定する。
【００１４】
任意的に、前記方法は、
前記早期警戒データ処理装置が早期警戒情報調査要求を受信した後、調査が要求された一つ又は複数の基地局のセルの早期警戒情報を分析し、分析結果を図形によって表示することを更に含む。
【００１５】
任意的に、前記方法は、
前記早期警戒データ処理装置が早期警戒情報統計要求を受信した後、特定の一つ又は複数のセル又は特定の一つ又は複数の基地局について、特定の時間区間内に発生した早期警戒分布状況を統計して分析することを更に含む。
【００１６】
本発明の実施例は更に、
基地局における早期警戒情報収集装置が収集して報知した早期警戒情報データを受信して、前記早期警戒情報データを分析し、分析結果に基づいて前記基地局の早期警戒操作状態を確定するように構成されるデータ分析モジュールと、
前記基地局の早期警戒操作状態が異常と確定された時、対応する故障処理を行うように構成される故障処理モジュールと、を含む早期警戒情報データ処理装置を提供する。
【００１７】
任意的に、前記早期警戒情報データは地震津波早期警戒システムＥＴＷＳデータを含み、前記ＥＴＷＳデータはＥＴＷＳ通知の受信時間、送信時間と停止時間のデータを含み、
前記データ分析モジュールは、前記早期警戒情報データを分析し、具体的には、前記ＥＴＷＳデータの完全性を判断することと、前記ＥＴＷＳデータがＥＴＷＳ通知の受信情報、送信情報と終了情報を含むと、前記ＥＴＷＳデータが完全なＥＴＷＳデータであると記録し、前記ＥＴＷＳデータがＥＴＷＳ通知の受信情報、送信情報と終了情報の中のいずれかを含んでいないと、前記ＥＴＷＳデータが不完全なＥＴＷＳデータであると記録することを含む。
【００１８】
任意的に、前記データ分析モジュールは前記基地局の早期警戒操作状態を確定し、具体的には、完全なＥＴＷＳデータの場合、前記ＥＴＷＳ通知の受信時間、送信時間と終了時間から前記ＥＴＷＳ通知の送信遅延と終了遅延を計算し、送信遅延と終了遅延中の一つが対応する閾値を越えると、前記基地局の早期警戒操作状態が異常であると確定し、不完全なＥＴＷＳデータの場合、前記基地局の早期警戒操作状態が異常であると確定し、具体的には、前記ＥＴＷＳデータがＥＴＷＳ通知の受信時間を含むが、ＥＴＷＳ通知の送信時間と終了時間を含んでいない、又は前記ＥＴＷＳデータがＥＴＷＳ通知の受信情報と送信情報を含むが、ＥＴＷＳ通知の終了情報を含んでいない場合を含む。
【００１９】
任意的に、前記故障処理モジュールは前記異常状態に基づいて故障レベルを確定し、前記故障レベルが厳重レベルに達していると、故障を解決するように、対応する解決命令メッセージを前記基地局の早期警戒情報実行モジュールへ送信し、ここで、前記ＥＴＷＳデータがＥＴＷＳ通知の受信時間を含むが、ＥＴＷＳ通知の送信時間と終了時間を含んでいない、又は前記ＥＴＷＳデータがＥＴＷＳ通知の受信情報と送信情報を含むが、ＥＴＷＳ通知の終了情報を含んでいないと、前記故障レベルが厳重レベルであると確定する。
【００２０】
任意的に、前記早期警戒情報データ処理装置は前記基地局に接続されたネットワーク管理システムに集積されており、
前記データ分析モジュールは、前記ネットワーク管理システムと前記基地局とのインターフェースを介して、前記早期警戒情報収集装置が収集して報知した早期警戒情報データを受信する。
【００２１】
任意的に、前記装置は、
早期警戒情報調査要求を受信した後、調査が要求された一つ又は複数の基地局のセルの早期警戒情報を分析し、分析結果を図形で表示するように構成される調査モジュールを更に含むことができる。
【００２２】
任意的に、前記装置は、
統計要求を受信した後、特定の一つ又は複数のセル又は特定の一つ又は複数の基地局について特定の時間区間内で発生した早期警戒分布状況を統計して分析するように構成される統計モジュールを更に含むことができる。
【００２３】
本発明の実施例は更に、上述した早期警戒データ処理装置を含み、基地局、移動性管理エンティティ又はウェブマスターであるネットワーク要素を提供する。
【００２４】
本発明の実施例は更に、
基地局中の早期警戒情報収集装置が早期警戒情報実行モジュールから早期警戒情報データを収集し、前記早期警戒情報データを早期警戒データ処理装置へ報知することと、
前記早期警戒情報実行モジュールが前記早期警戒データ処理装置の解決命令メッセージを受信した後、前記解決命令メッセージに対応する操作を実行することと、を含む早期警戒情報データの処理方法を提供する。
【００２５】
任意的に、前記早期警戒情報データは地震津波早期警戒システムＥＴＷＳデータを含み、前記ＥＴＷＳデータはＥＴＷＳ通知の受信時間、送信時間と停止時間のデータを含み、前記ＥＴＷＳ通知はＥＴＷＳ重要通知及び/又はＥＴＷＳ補助通知を含むことができる。
【００２６】
任意的に、前記基地局中の早期警戒情報報知モジュールが前記早期警戒情報データを早期警戒データ処理装置へ送信する前、
前記早期警戒データ処理装置とやり取りして、安全ファイル転送プロトコルＳＦＴＰを取得し、その後、前記安全ファイル転送プロトコルによって、前記早期警戒情報データを早期警戒データ処理装置へ送信することを更に含むことができる。
【００２７】
本発明の実施例は更に、
早期警戒情報実行モジュールから早期警戒情報データを収集し、前記早期警戒情報データを早期警戒データ処理装置へ報知するように構成される早期警戒情報収集装置と、
前記早期警戒データ処理装置の解決命令メッセージを受信し、前記解決命令メッセージに対応する操作を実行するように構成される早期警戒情報実行モジュールと、を含む基地局を提供する。
【００２８】
任意的に、前記早期警戒情報データは地震津波早期警戒システムＥＴＷＳデータを含み、前記ＥＴＷＳデータはＥＴＷＳ通知の受信時間、送信時間と停止時間のデータを含むことができる。
【００２９】
任意的に、前記早期警戒情報収集装置は更に、前記早期警戒情報データを早期警戒データ処理装置へ報知する前、前記早期警戒データ処理装置とやり取りして、安全ファイル転送プロトコルＳＦＴＰを取得し、その後、前記安全ファイル転送プロトコルによって、前記早期警戒情報データを早期警戒データ処理装置へ送信するように構成される。
【００３０】
本発明の実施例は更に、コンピュータプログラム及びその担体を提供し、該コンピュータプログラムはプログラム命令を含み、当該プログラム命令が早期警戒情報データの処理機器により実行される時、該機器は上記早期警戒情報データの処理方法を実施することができる。
【００３１】
本発明の実施例は更に、コンピュータプログラム及びその担体を提供し、該コンピュータプログラムはプログラム命令を含み、当該プログラム命令が基地局機器により実行される時、該機器が上記早期警戒情報データの処理方法を実施することができる。
【発明の効果】
【００３２】
本発明の実施例で提供する早期警戒情報データの処理方法と装置によると、早期警戒情報の発布を即時且つ正確に制御することができる。
【図面の簡単な説明】
【００３３】
【図１】ＥＴＷＳにおける直接に基地局とやり取りを行うモジュールを示す図である。
【図２】本発明の実施例の基地局側の早期警戒データの処理方法を示すフローチャートである。
【図３】本発明の実施例の基地局を示す図である。
【図４】本発明の実施例のネットワーク要素側の早期警戒データの処理方法を示すフローチャートである。
【図５】本発明の実施例の早期警戒情報データ処理装置を示す図である。
【発明を実施するための形態】
【００３４】
以下、図面を結合して本発明の実施例を詳しく説明する。なお、矛盾しない状況下、本願の実施例及び実施例中の特徴を任意に組み合わせすることができる。
【００３５】
図２は本発明の実施例の基地局側の早期警戒データの処理方法を示すフローチャートで、以下のステップ１１とステップ１２を含む：
ステップ１１において、基地局中の早期警戒情報収集装置が早期警戒情報実行モジュールから早期警戒情報データを収集し、前記早期警戒情報データを早期警戒データ処理装置へ送信する。
【００３６】
ステップ１２において、前記早期警戒情報実行モジュールが前記早期警戒データ処理装置の解決命令メッセージを受信した後、前記解決命令メッセージに対応する操作を実行する。
【００３７】
ここで、前記早期警戒情報データはＥＴＷＳデータを含み、前記ＥＴＷＳデータはＥＴＷＳ通知の受信時間、送信時間と停止時間のデータを含み、前記ＥＴＷＳ通知はＥＴＷＳ重要通知及び/又はＥＴＷＳ補助通知を含み、前記解決命令メッセージは異なる故障解決方法を示すフィールド値を含む。
【００３８】
一つの可能な実施例において、前記基地局中の早期警戒情報収集装置が前記早期警戒情報データを早期警戒データ処理装置へ送信する前、
前記早期警戒データ処理装置とやり取りして、安全ファイル転送プロトコルＳＦＴＰを取得し、その後、前記安全ファイル転送プロトコルによって、前記早期警戒情報データを早期警戒データ処理装置へ送信することを更に含む。本実施例において、ＳＦＴＰを用いることは伝送方式の一つで、例えばメッセージ、ファイル等の他の方式を用いることもできる。
【００３９】
図３は本発明の実施例の基地局を示す図で、図３に示すように、本実施例の基地局はプロセッサと、プログラム記憶装置と、データ記憶装置と、を含み、更に、
早期警戒情報実行モジュールから早期警戒情報データを収集し、前記早期警戒情報データを早期警戒データ処理装置へ報知するのに用いられる早期警戒情報収集装置と、
前記早期警戒データ処理装置の解決命令メッセージを受信した後、前記解決命令メッセージに対応する操作を実行するのに用いられる早期警戒情報実行モジュールと、を含む。
【００４０】
本実施例において、前記早期警戒情報収集装置は早期警戒情報収集モジュールと早期警戒情報報知モジュールとを含むことができ、ここで、
早期警戒情報収集モジュールは、早期警戒情報実行モジュールから早期警戒情報データを収集するのに用いられ、
早期警戒情報報知モジュールは、前記早期警戒情報データを早期警戒データ処理装置へ送信するのに用いられる。
【００４１】
一つの可能な実施例において、前記早期警戒情報報知モジュールは、前記早期警戒情報データを早期警戒データ処理装置へ送信する前、前記早期警戒データ処理装置とやり取りして、安全ファイル転送プロトコルＳＦＴＰを取得し、その後、前記安全ファイル転送プロトコルによって、前記早期警戒情報データを早期警戒データ処理装置へ送信するのに用いられる。
【００４２】
図４は、本発明の実施例のネットワーク要素側の早期警戒情報データの処理方法を示すフローチャートで、以下のステップ２１〜ステップ２３を含む：
ステップ２１において、早期警戒データ処理装置が、基地局中の早期警戒情報収集装置が収集して報知した早期警戒情報データを受信する。
【００４３】
ステップ２２において、前記早期警戒データ処理装置が、前記早期警戒情報データを分析し、分析結果に基づいて、前記基地局の早期警戒操作状態を確定する。
【００４４】
ステップ２３において、前記基地局の早期警戒操作状態が異常と確定された時、前記早期警戒データ処理装置が対応する故障処理を行う。
【００４５】
対応して、本発明の実施例は更に早期警戒情報データ処理装置を提供し、図５に示すように、本実施例の早期警戒情報データ処理装置は、
基地局中の早期警戒情報収集装置が収集して報知した早期警戒情報データを受信し、前記早期警戒情報データを分析し、分析結果に基づいて、前記基地局の早期警戒操作状態を確定するのに用いられるデータ分析モジュールと、
前記基地局の早期警戒操作状態が異常と確定された時、対応する故障処理を行うに用いられる故障処理モジュールとを含む。
【００４６】
一つの可能な実施例において、前記早期警戒情報データはＥＴＷＳデータを含み、前記ＥＴＷＳデータはＥＴＷＳ通知の受信時間、送信時間と停止時間のデータを含み、前記ＥＴＷＳ通知はＥＴＷＳ重要通知及び/又はＥＴＷＳ補助通知を含む。
【００４７】
前記データ分析モジュールが前記早期警戒情報データを分析することは、前記ＥＴＷＳデータの完全性を判断し、前記ＥＴＷＳデータにＥＴＷＳ通知の受信情報、送信情報と終了情報が含まれていると判断されると、前記ＥＴＷＳデータが完全なＥＴＷＳデータであると記録し、そうでないと、前記ＥＴＷＳデータが不完全なＥＴＷＳデータであると記録することを含む。
【００４８】
一つの可能な実施例において、前記データ分析モジュールが前記基地局の早期警戒操作状態を判断することは、完全なＥＴＷＳデータの場合、前記ＥＴＷＳ通知の受信時間、送信時間と終了時間から前記ＥＴＷＳ通知の送信遅延と終了遅延を計算し、送信遅延と終了遅延中の一つが対応する閾値を越えると、前記基地局の早期警戒操作状態が異常であると確定し、不完全なＥＴＷＳデータの場合、前記ＥＴＷＳデータにＥＴＷＳ通知の受信時間を含むが、ＥＴＷＳ通知の送信時間と終了時間を含んでいない、つまり前記基地局がＥＴＷＳ通知を受信したが送信していない時、前記ＥＴＷＳデータにＥＴＷＳ通知の受信情報と送信情報を含むが、ＥＴＷＳ通知の終了情報を含んでいない、つまり前記基地局がＥＴＷＳ通知の送信を停止しない時、前記基地局の早期警戒操作状態が異常であると確定することを含む。
【００４９】
一つの可能な実施例において、前記故障処理モジュールは、具体的に、前記異常状態に基づいて故障レベルを確定し、前記故障レベルが厳重レベルに達していると、故障を解決するように、対応する解決命令メッセージを前記基地局のＥＴＷＳ受送信モジュールへ送信するのに用いられる。ここで、前記異常状態が、基地局がＥＴＷＳ通知を受信したが送信していないこと、又は基地局がＥＴＷＳ通知の送信を停止しないことであると、前記故障レベルが厳重レベルであると確定する。
【００５０】
一つの可能な実施例において、前記早期警戒情報データ処理装置は前記基地局に接続されるネットワーク管理システムに集積され、
前記データ分析モジュールは前記ネットワーク管理システムと前記基地局とのインターフェースを介して、前記早期警戒情報収集装置が収集して報知した早期警戒情報データを受信する。
【００５１】
一つの可能な実施例において、前記早期警戒情報データ処理装置は、
早期警戒情報調査要求を受信した後、調査が要求された一つ又は複数の基地局のセルの早期警戒情報を分析し、分析結果を図形によって表示するのに用いられる調査モジュールを更に含む。
【００５２】
一つの可能な実施例において、前記早期警戒情報データ処理装置は、
統計要求を受信した後、特定の一つ又は複数のセル又は特定の一つ又は複数の基地局について、特定の時間区間内に発生した早期警戒分布状況を統計して分析するのに用いられる統計モジュールを更に含む。
【００５３】
本発明の実施例は更にネットワーク要素を提供し、該ネットワーク要素は上述した早期警戒情報データ処理装置を含み、該ネットワーク要素は基地局、ＭＭＥ又はウェブマスターであることができる。前記基地局、ＭＭＥ又はウェブマスターはプロセッサ、プログラム記憶装置、データ記憶装置を含む。
【００５４】
以下、具体的な実施例で本発明の早期警戒情報データの処理方法を詳しく説明する。
【００５５】
実施例１
本実施例において、早期警戒情報データ処理装置がウェブマスターに配置された場合を例に説明し、以下のステップ１０１〜ステップ１０６を含む：
ステップ１０１において、基地局のＥＴＷＳ実行モジュールが、ＭＭＥから送信されたＥＴＷＳ命令情報を受信する。
【００５６】
ステップ１０２において、ＥＴＷＳが発生した時、基地局の収集モジュールが、ＥＴＷＳ情報データの収集を行う。
【００５７】
収集する際主に、ＳＩＢ１０及び/又はＳＩＢ１１メッセージ受信時間、ＳＩＢ１０及び/又はＳＩＢ１１送信開始時間、ＳＩＢ１０及び/又はＳＩＢ１１送信停止時間等の情報を取得する。
【００５８】
ステップ１０３において、基地局の収集モジュールが主動にウェブマスターとやり取りしてウェブマスターＳＦＴＰ（Ｓｅｃｕｒｅ  Ｆｉｌｅ  Ｔｒａｎｓｆｅｒ  Ｐｒｏｔｏｃｏｌ、安全ファイル転送プロトコル）情報を取得し、その後、ＳＦＴＰによって、ＥＴＷＳ情報データをウェブマスターサーバーへ送信する。
【００５９】
基地局がデータを収集する過程において詳細なＬＯＧ（日誌）を記録することで毎回の受送信の詳細な情報を記録することができる。概要ＬＯＧと詳細ＬＯＧが統一のシリアル番号によって関連付けられて完全なＥＴＷＳ  ＬＯＧデータを構成する。
【００６０】
ステップ１０４において、ウェブマスターのデータ分析モジュールが、ＥＴＷＳ  ＬＯＧデータを受信した後、ＥＴＷＳデータ分析を行う。
【００６１】
ここで、ＥＴＷＳデータは主に、基地局中の各セルがＥＴＷＳ通知を受信した時間、ＥＴＷＳ通知をユーザへ送信し始めた送信開始時間、ＥＴＷＳ通知の送信を最後に停止した時間等の核心データを含む。データの分析を経て、ＳＩＢ１０及び/又はＳＩＢ１１の送信遅延、停止遅延等の核心指標データを得て、その後、これらの指標からＥＴＷＳが有効であるか否か、正常又は異常であるかを計算する。ＳＩＢ１０、ＳＩＢ１１は、非送信、送信遅延、少量送信、未停止等の結論的な情報である。
【００６２】
まず、ウェブマスターのデータ分析モジュールが有効性の識別を行うことができる：完全なＥＴＷＳ記録は、「ＳＩＢ１０受信情報＆ＳＩＢ１０送信情報＆ＳＩＢ１０終了情報」又は「ＳＩＢ１１受信情報＆ＳＩＢ１１送信情報＆ＳＩＢ１１終了情報」又は両方を含むことを指し、そうでないと不完全な記録である。完全な記録は送信遅延、停止遅延指標が閾値を越えているか否かによって、「正常」記録と「異常」記録に分けられる。
【００６３】
ここで、ＳＩＢ１０、ＳＩＢ１１の送信遅延、終了遅延の計算ルールは以下のようである：
送信遅延＝送信時間−受信時間で、送信遅延が送信遅延の閾値を越えていると、送信異常と記録し、送信遅延が送信遅延の閾値以下であると、送信正常と記録する。
【００６４】
終了遅延＝終了時間−送信時間で、終了遅延が終了遅延の閾値を越えていると、停止異常と記録し、終了遅延が終了遅延の閾値以下であると、正常と記録する。
【００６５】
そして、ＬＯＧが不完全な状況でも異常である場合もある。例えば、受信情報があるが、送信情報がなく、終了情報もないと、異常である。また、例えば受信情報があって、送信情報があるが、終了情報がないと、異常である。
【００６６】
ステップ１０５において、ウェブマスターの故障処理モジュールが、分析結論に基づいて故障レベルを確定し、厳重レベルの故障であると、故障コードに基づいて、故障コードに対応する解決命令メッセージを基地局へ送信する。故障レベルが低いと、所定のレベルに達していないので、フローを終了する。
【００６７】
ステップ１０６において、基地局のＥＴＷＳ実行モジュールが、ウェブマスターから送信された解決命令メッセージを受信した後、命令に対応する操作を実行し（例えば、ＥＴＷＳ通知の送信又は送信の停止等の関連操作）、ＥＴＷＳ厳重レベルの故障を解消して、災害復旧の目的を実現できる。
【００６８】
実施例２
実施例１を基に、ユーザがＥＴＷＳ情報を調査することができる。
【００６９】
ユーザは、ウェブマスターでＥＴＷＳ情報調査ジョブを開始し、複数のネットワーク要素を選択して、全てのＥＴＷＳ異常があったセル情報を調査することもできるし、全てのセルのＥＴＷＳ情報を調査して、異常があったか否かに関わらず、結果情報を図形化して表示することもできる。
【００７０】
一回のＥＴＷＳデータはＳＩＢ１０又はＳＩＢ１１、又は両方を含むことができ、その表示状態は以下の通りである：
ＳＩＢ１０又はＳＩＢ１１中の少なくとも一つが無効であると、無効と表示する。
【００７１】
ＳＩＢ１０とＳＩＢ１１がいずれも有効であるが、少なくとも一つが異常であると、異常と表示する。
【００７２】
ＳＩＢ１０とＳＩＢ１１がいずれも有効であって、全ての指標が正常であると、正常と表示する。
【００７３】
図形全体の表示戦略：ネットワーク全体の異常の測位を高速に行おうとする場合、幾つかの基地局が特定の時間区間内に異常セルがあるか否かを確定しなければならない。その場合、当該基地局のいずれかのセルが特定の時間区間内に異常｛又は無効｝があると、該基地局の異常{又は無効}状態のセルを全て表示する。具体的に把握できると、該異常セルをクリックし、該特定の時間区間内にＥＴＷＳメッセージの送信が何回あったかを表示することができる。ｇｒｏｕｐ（ｇｒｏｕｐは、セルの次のＥＴＷＳ記録情報を示す）をクリックすると、時間区間情報と具体的な指標の数値を得ることができる。このような核心データによって、ユーザは各セルの毎回のＥＴＷＳの情報を明確且つ直観的に把握できる。
【００７４】
実施例３
実施例１の基に、ウェブマスター上のＥＴＷＳ統計分析機能を作動させて、一つのセル、一つの基地局又は複数のセル、複数の基地局に対して、長期にわたってＥＴＷＳ発生分布状況を統計して分析することができる。
【００７５】
ネットワーク管理システムのＥＴＷＳフォールトトレラント方法に基づいて、ＥＴＷＳ故障をリアルタイムに解決できるが、ユーザの満足度を向上させるようにＥＴＷＳ情報調査ジョブによって直観的な結論を通信事業者に提供することもできる。ネットワーク管理システムにおいて、複数の基地局に同時に調査、分析、製図することもでき、命令メッセージを自動に基地局へ送信してＥＴＷＳ故障を解決することもできる。ウェブマスターでＥＴＷＳフォールトトレラントを行う場合、別途のハードウェアコストを増加する必要がなく、他のソフトシステムを配置する必要もなく、ウェブマスターデータベース中のセル関連情報を簡単に取得して、分析とチェックに参与することができる。
【００７６】
ネットワーク管理システムは、ソフトとハードウェアが結合されてソフトウェアをメインとするネットワーク応用システムで、ネットワークを管理してネットワークを最も効率的且つ正常に運転させることを目的とする。従って、ＥＴＷＳフォールトトレラント機能をネットワーク管理システムに集積して、既存のデータ通路を利用し、別途のネットワーク費用を増加する必要がない。基地局のセルの関連情報を簡単に調査して、ＥＴＷＳフォールトトレラント処理を行うことができる。ネットワーク管理システムに集積されると、複数の基地局に同時に高速の測位を行うことができるので、ここではＥＴＷＳフォールトトレラント機能をネットワーク管理システムに集積して説明する。
【００７７】
実施例４
本発明の実施例を商業用移動早期警戒サービス（Ｃｏｍｍｅｒｃｉａｌ  Ｍｏｂｉｌｅ  Ａｌｅｒｔ  Ｓｅｒｖｉｃｅ、ＣＭＡＳと略称）状況に応用し、具体的な実施については、交通管理状況を例に説明する。ステップ２０２〜ステップ２０６を含む。
【００７８】
ステップ２０１において、基地局が、上位管理システムから送信された交通管理情報を受信する。
【００７９】
ステップ２０２において、基地局が、交通管理情報を収集する。
【００８０】
主に、交通管理情報の受信時間、交通管理情報の送信開始時間、交通管理情報の送信停止時間等の情報を取得する。
【００８１】
ステップ２０３において、基地局が、収集した交通管理情報をウェブマスターへ送信する）。
【００８２】
ステップ２０４において、交通管理情報がウェブマスターに集中された後、ウェブマスターがデータ分析を行う。
【００８３】
送信遅延＝送信時間−受信時間で、送信遅延が送信遅延の閾値を越えていると、送信異常と記録し、送信遅延が送信遅延の閾値以下であると、送信正常と記録する。
【００８４】
停止遅延＝停止時間−送信時間で、停止遅延が停止遅延の閾値を越えていると、停止異常と記録し、停止遅延が停止遅延の閾値以下であると、停止正常と記録する。
【００８５】
そして、交通管理情報が不完全な状況でも異常がある可能性がある。例えば、受信情報があるが、送信情報がなく、終了情報もないと、必ず異常であって、また、例えば受信情報があって、送信情報もあるが、終了情報がないと、必ず異常である。
【００８６】
ステップ２０５において、ウェブマスターが、分析結論に基づいて、故障レベルを確定し、厳重レベルの故障であると、故障コードに基づいて、故障コードに対応する解決命令メッセージを基地局へ送信する。故障レベルが低いと、所定のレベルに達していないので、フローを終了する。
【００８７】
ステップ２０６において、基地局は、ウェブマスターから送信された解決命令メッセージを受信した後、命令に対応する操作を実行して、交通管理情報の厳重レベルの故障を解消し、交通管理情報を即時に正確に発布したり発布を停止したりする目的を実現する。
【００８８】
上記した方法の全部又は一部のステップをプログラムによって関連するハードウェアに命令して完成することができ、上記プログラムを読み出し専用メモリ、ディスク又はＣＤ等のコンピュータ読み取り可能な記憶媒体に記憶することができることは当業者であれば理解できる。そして、上記実施例の全部又は一部のステップを一つ又は複数の集積回路によって実現することもできる。対応して、上記実施例中の各モジュール/ユニットをハードウェアで実現することもでき、ソフトウェア機能モジュールの形態で実現することもできる。本発明は如何なる特定のハードウェアとソフトウェアの結合にも限定されない。
【００８９】
本発明は他の各種の実施例で実現されることもでき、本発明の精神及びその実質を離脱しない範囲で、当業者は本発明に基づいて各種の対応する改善や変形が可能であって、これらの対応する改善や変形は全て本発明の特許請求の範囲に含まれる。
【産業上の利用可能性】
【００９０】
本発明の実施例で早期警戒情報データの処理方法と装置を提供し、該方法は、早期警戒データ処理装置が基地局中の早期警戒情報収集装置が収集して報知した早期警戒情報データを受信し、前記早期警戒情報データを分析して前記基地局の早期警戒操作状態を確定することと、基地局の早期警戒操作状態が異常であると確定される時、対応する故障処理を行うこととを含むことで、早期警戒情報の発布を即時且つ正確に制御できる。
【図１】
0006535734.tif 000002
【図２】
0006535734.tif 000003
【図３】
0006535734.tif 000004
【図４】
0006535734.tif 000005
【図５】
0006535734.tif 000006